(57)【要約】【課題】歩留まり向上を図ることが可能な端子金具を提供する。【解決手段】一対のインシュレーションバレル１６は、バレル本体１８と、切り起こし舌片部１９とを有して、加締めに必要な長さを確保することができるように形成されている。切り起こし舌片部１９は、バレル本体１８を切り起こすことにより形成されている。切り起こし舌片部１９を曲げて起こすと、切り起こし開口部２０が形成される。この切り起こし開口部２０のエッジ部分２１や、切り起こし舌片部１９のエッジ部分２２は、電線の被覆部又はゴム栓の引掛け部として機能する。加締めを施すとエッジ部分２１、２２が被覆部又はゴム栓に食い込んで引っ掛かり合い、これによって固着力が向上し抜け難い状態になる。【選択図】図１
2009151966.tif 000002
【特許請求の範囲】
【請求項１】
相手側端子金具と接触する電気接触部と、加締めにより電線に接続される電線接続部とを有する端子金具において、
前記電線接続部を構成する一対の加締め片に、該加締め片の長さを長くする切り起こし舌片部を形成する
ことを特徴とする端子金具。
【請求項２】
請求項１に記載の端子金具において、
前記切り起こし舌片部を有する前記一対の加締め片を、前記電線の被覆部又はゴム栓の加締めに用いる部分として形成する
ことを特徴とする端子金具。
【請求項３】
請求項２に記載の端子金具において、
前記切り起こし舌片部のエッジ部分、及び／又は、前記切り起こし舌片部により開口する切り起こし開口部のエッジ部分を、前記被覆部又は前記ゴム栓の引掛け部として形成する
ことを特徴とする端子金具。
【発明の詳細な説明】
【技術分野】
【０００１】
本発明は、電線の端末に設けられて電気的接続に用いられる端子金具に関する。
【背景技術】
【０００２】
電線の端末に設けられて電気的接続に用いられる端子金具は、相手側端子金具と接触する電気接触部と、加締めにより電線に接続される電線接続部とを有している（例えば下記特許文献１参照）。電線接続部は、電線の導体部を加締める一対の導体加締め片と、電線の被覆部を加締める一対の被覆加締め片とを有している。端子金具は、導電性を有する金属板を所定の形状で打ち抜き、この後に折り曲げを施して製造されるようになっている。
【特許文献１】実開昭４９−９７３８５号公報
【発明の開示】
【発明が解決しようとする課題】
【０００３】
ところで、上記従来技の端子金具を展開してみると、図８に示す如くの展開形状になる。引用符号１は電気接触部の展開部分、引用符号２は一対の導体加締め片の展開部分、引用符号３は一対の被覆加締め片の展開部分を示している。一対の被覆加締め片の展開部分３は、この長さＬ２が他の展開部分の長さよりも長く形成されている。
【０００４】
一対の被覆加締め片の展開部分３は、他の展開部分よりも長さが長いことから、キャリア４によって連続する隣り合う端子金具の展開部分５とのピッチＰ２が長さＬ２によって決まってしまうことになる。従って、全体的に見ると歩留まりが悪くコストアップにつながってしまうことが分かる。従来の端子金具は、このような問題点を含んだ構造になっている。
【０００５】
本発明は、上記した事情に鑑みてなされたもので、歩留まり向上を図ることが可能な端子金具を提供することを課題とする。
【課題を解決するための手段】
【０００６】
上記課題を解決するためになされた請求項１記載の本発明の端子金具は、相手側端子金具と接触する電気接触部と、加締めにより電線に接続される電線接続部とを有する端子金具において、前記電線接続部を構成する一対の加締め片に、該加締め片の長さを長くする切り起こし舌片部を形成することを特徴としている。
【０００７】
このような特徴を有する本発明によれば、金属板を打ち抜く際の加締め片の長さが短くてすみ、切り起こし舌片部を曲げて起こすことにより、電線を加締めるのに十分な長さになる。
【０００８】
請求項２記載の本発明の端子金具は、請求項１に記載の端子金具において、前記切り起こし舌片部を有する前記一対の加締め片を、前記電線の被覆部又はゴム栓の加締めに用いる部分として形成することを特徴としている。
【０００９】
このような特徴を有する本発明によれば、電線の導体部よりも直径の大きな被覆部又はゴム栓の加締めに好適な加締め片になる。
【００１０】
請求項３記載の本発明の端子金具は、請求項２に記載の端子金具において、前記切り起こし舌片部のエッジ部分、及び／又は、前記切り起こし舌片部により開口する切り起こし開口部のエッジ部分を、前記被覆部又は前記ゴム栓の引掛け部として形成することを特徴としている。
【００１１】
このような特徴を有する本発明によれば、加締めを施すことにより、エッジ部分が被覆部又はゴム栓に食い込んで引っ掛かり、固着力が向上して抜けにくい状態になる。
【発明の効果】
【００１２】
請求項１に記載された本発明によれば、端子金具を製造するための金属板の歩留まり向上を図ることができるという効果を奏する。
【００１３】
請求項２に記載された本発明によれば、電線の被覆部又はゴム栓の加締めに好適な加締め片にすることができるという効果を奏する。
【００１４】
請求項３に記載された本発明によれば、引張強度の向上を図ることもできるという効果を奏する。
【発明を実施するための最良の形態】
【００１５】
以下、図面を参照しながら説明する。図１は本発明の端子金具の一実施の形態を示す図であり、図１（ａ）は端子金具全体の斜視図、図１（ｂ）は要部拡大図である。また、図２は端子金具の展開形状を示す図であり、図２（ａ）はキャリア付の状態を示す展開図、図２（ｂ）は切り起こし舌片部の長さを変更した変形例の図である。さらに、図３は切り起こし舌片部を曲げて起こした状態を示す図であり、図３（ａ）はキャリア付の状態を示す図、図３（ｂ）はインシュレーションバレルの曲げ状態を示す図である。さらにまた、図４は加締めを施した状態を示す図であり、図４（ａ）はインシュレーションバレル部分の拡大平面図、図４（ｂ）は（ａ）のＡ−Ａ線断面図である。
【００１６】
図１において、導電性を有する端子金具１１は、特に限定しないがここでは雌型のものであって、雄型の端子金具（図示省略）を差し込むと電気的に接触する電気接触部１２と、加締めを施すことにより電線（図示省略）に接続される電線接続部１３とを有している。電線接続部１３は、この基部１４に連成される一対のワイヤーバレル１５と、一対のインシュレーションバレル１６とを有している。端子金具１１は、一対のインシュレーションバレル１６に、歩留まり向上に貢献する構造が形成されている点に特徴を有している。
【００１７】
電気接触部１２は、箱形の形状に形成されている。この内部には、雄型の端子金具のタブ状に形成された電気接触部に接触する弾性接触片１７が形成されている。一対のワイヤーバレル１５は、電線の導体部を加締める部分として形成されている。電気接触部１２及び一対のワイヤーバレル１５は、公知のものと基本的に同じ構造になっている。
【００１８】
一対のインシュレーションバレル１６は、電線の被覆部又は電線端末に設けられる防水用のゴム栓を加締める部分として形成されている（加締め片として形成されている）。一対のインシュレーションバレル１６は、バレル本体１８と、切り起こし舌片部１９とを有して、加締めに必要な長さを確保することができるように形成されている。切り起こし舌片部１９は、バレル本体１８を切り起こすことにより形成されている。
【００１９】
一対のインシュレーションバレル１６は、切り起こし舌片部１９を曲げて起こすと、被覆部又はゴム栓を加締めるのに十分な長さになるようになっている。切り起こし舌片部１９を形成することにより、金属板を打ち抜く際の加締め片の長さを短くすることができるという利点を有している。
【００２０】
また、切り起こし舌片部１９を曲げて起こすと、切り起こし開口部２０が形成されることから、この切り起こし開口部２０のエッジ部分２１や、切り起こし舌片部１９のエッジ部分２２（特にバレル本体１８に連続する曲げ部分のエッジ部分）が被覆部又はゴム栓の引掛け部として機能し、結果、加締めを施すとエッジ部分２１、２２が被覆部又はゴム栓に食い込んで引っ掛かり合い、これによって固着力が向上し抜け難い状態にすることができるという利点を有している。
【００２１】
端子金具１１は、導電性を有する金属板を所定の形状で打ち抜き、この後に折り曲げを施すことにより製造されるようになっている。以下、製造の過程を説明する。
【００２２】
図２（ａ）において、導電性を有する金属板を所定の形状で打ち抜くと、図示のような端子金具の展開形状（全体展開部分２３）になる。引用符号２４は電気接触部の展開部分、引用符号２５は一対のワイヤーバレルの展開部分、引用符号２６は一対のインシュレーションバレルの展開部分を示している。一対のインシュレーションバレルの展開部分２６は、この長さＬ１が電気接触部の展開部分２４の長さと同等になるように形成されている。
【００２３】
一対のインシュレーションバレルの展開部分２６と、電気接触部の展開部分２４とが同等の長さになると、これによりキャリア２７によって連続する隣り合う端子金具の展開部分２３は、これらのピッチＰ１が従来例のピッチ（Ｐ２）よりも短くなるようになっている。従って、本発明は金属板の歩留まりを従来例よりも向上させることができるという利点を有している。
【００２４】
一対のインシュレーションバレルの展開部分２６には、バレル本体１８と、曲げて起こす前の切り起こし舌片部１９とが形成されている。一対のインシュレーションバレルの展開部分２６は、切り起こし舌片部１９を有することにより、この長さを電気接触部の展開部分２４の長さと同等な長さから加締めに必要な長さに変更することができるようになっている。
【００２５】
尚、切り起こし舌片部１９は、図２（ｂ）に示す如く、この長さを短くすることも可能である（曲げて起こす位置等を変えることにより、各種の電線に対応することができるという利点を有している）。
【００２６】
図３（ａ）に示す如く、切り起こし舌片部１９をバレル本体１８の外面側に曲げて起こすとともに、基部１４の位置に曲げを施すと、図３（ｂ）に示す如く、略Ｕ字形状となる一対のインシュレーションバレル１６が形成される。また、他の展開部分にも曲げを施すと端子金具１１の製造が完了する。そして、電線の端末をセットして一対のインシュレーションバレル１６に加締めを施すと、図４に示す如くの状態になる。一対のインシュレーションバレル１６は、必要十分な長さと固着力とで電線の被覆部又はゴム栓に加締められるようになる。
【００２７】
次に、図５ないし図７を参照しながら本発明の端子金具の他の一実施の形態を説明する。図５は他の一実施の形態を示す図であり、図５（ａ）は端子金具全体の斜視図、図５（ｂ）は要部拡大図である。また、図６は切り起こし舌片部を曲げて起こした状態を示す図であり、図６（ａ）はキャリア付の状態を示す図、図６（ｂ）はインシュレーションバレルの曲げ状態を示す図である。さらに、図７は加締めを施した状態を示す図であり、図７（ａ）はインシュレーションバレル部分の拡大平面図、図７（ｂ）は（ａ）のＢ−Ｂ線断面図である。
【００２８】
図５において、導電性を有する端子金具３１は、雄型の端子金具（図示省略）を差し込むと電気的に接触する電気接触部１２と、加締めを施すことにより電線（図示省略）に接続される電線接続部１３とを有している。電線接続部１３は、この基部１４に連成される一対のワイヤーバレル１５と、一対のインシュレーションバレル１６とを有している。端子金具３１は、切り起こし舌片部１９の曲げ起こしの方向がバレル本体１８の内面側となること以外、上記形態の端子金具１１と同じになっている。従って、上記形態と同様の利点を有するようになっている。
【００２９】
図６（ａ）に示す如く、切り起こし舌片部１９をバレル本体１８の内面側に曲げて起こすとともに、基部１４の位置に曲げを施すと、図６（ｂ）に示す如く、略Ｕ字形状となる一対のインシュレーションバレル１６が形成される。また、他の展開部分にも曲げを施すと端子金具３１の製造が完了する。そして、電線の端末をセットして一対のインシュレーションバレル１６に加締めを施すと、図７に示す如くの状態になる。一対のインシュレーションバレル１６は、必要十分な長さと固着力とで電線の被覆部又はゴム栓に加締められるようになる。
【００３０】
この他、本発明は本発明の主旨を変えない範囲で種々変更実施可能なことは勿論である。
【図面の簡単な説明】
【００３１】
【図１】本発明の端子金具の一実施の形態を示す図であり、（ａ）は端子金具全体の斜視図、（ｂ）は要部拡大図である。
【図２】端子金具の展開形状を示す図であり、（ａ）はキャリア付の状態を示す展開図、（ｂ）は切り起こし舌片部の長さを変更した変形例の図である。
【図３】切り起こし舌片部を曲げて起こした状態を示す図であり、（ａ）はキャリア付の状態を示す図、（ｂ）はインシュレーションバレルの曲げ状態を示す図である。
【図４】加締めを施した状態を示す図であり、（ａ）はインシュレーションバレル部分の拡大平面図、（ｂ）は（ａ）のＡ−Ａ線断面図である。
【図５】本発明の端子金具の他の一実施の形態を示す図であり、（ａ）は端子金具全体の斜視図、（ｂ）は要部拡大図である。
【図６】切り起こし舌片部を曲げて起こした状態を示す図であり、（ａ）はキャリア付の状態を示す図、（ｂ）はインシュレーションバレルの曲げ状態を示す図である。
【図７】加締めを施した状態を示す図であり、（ａ）はインシュレーションバレル部分の拡大平面図、（ｂ）は（ａ）のＢ−Ｂ線断面図である。
【図８】従来例の端子金具の展開形状を示す図である。
【符号の説明】
【００３２】
１１、３１  端子金具
１２  電気接触部
１３  電線接続部
１４  基部
１５  ワイヤーバレル
１６  インシュレーションバレル（加締め片）
１７  弾性接触片
１８  バレル本体
１９  切り起こし舌片部
２０  切り起こし開口部
２１、２２  エッジ部分
２３  全体展開部分
２４  電気接触部の展開部分
２５  一対のワイヤーバレルの展開部分
２６  一対のインシュレーションバレルの展開部分
２７  キャリア
【図１】
2009151966.tif 000003
【図２】
2009151966.tif 000004
【図３】
2009151966.tif 000005
【図４】
2009151966.tif 000006
【図５】
2009151966.tif 000007
【図６】
2009151966.tif 000008
【図７】
2009151966.tif 000009
【図８】
2009151966.tif 000010